(57)【特許請求の範囲】
【請求項１】
衣類等が収容される収容槽と、
泡を生成し、生成した泡を前記収容槽に供給する泡生成部と、
前記収容槽内の洗濯液を前記泡生成部に供給する循環ポンプと、を備え、
前記泡生成部は、前記循環ポンプから供給される洗濯液を貯留する泡生成室を有すると共に、前記泡生成室内に貯留した洗濯液に向けて洗濯液を吐出する吐出口と、前記泡生成部で生成された泡を前記収容槽に供給する流出口とを形成し、前記流出口は、前記泡生成室底面から貯留した洗濯液より上方位置に亘って形成し、
前記泡生成室底面は、前記流出口に向かって漸次低くなるように傾斜させることを特徴とする洗濯機。
【請求項２】
前記流出口から前記収容槽へ誘導する流路を設け、前記流路は前記回転ドラムに向かって漸次低くなるように傾斜させることを特徴とする請求項１に記載の洗濯機。
【請求項３】
前記泡生成室から前記収容槽へ洗濯液を供給する槽吐出部を設け、前記泡生成室内部から前記槽吐出部へ至る流路に屈曲部を設けることを特徴とする請求項１または２に記載の洗濯機。
【請求項４】
前記流路内に絞り部を設けることを特徴とする請求項３に記載の洗濯機。
【請求項５】
前記吐出口は、前記流出口と反対方向に向かって洗濯液を吐出する形状に形成したことを特徴とする請求項１から４のいずれか１項に記載の洗濯機。
【発明の詳細な説明】
【技術分野】
【０００１】
本発明は、衣類を洗濯する洗濯機に関する。
【背景技術】
【０００２】
洗濯機において、洗い工程で洗剤をなるべく早く溶解し、衣類に浸透させることは、衣類の汚れを取り除くのに非常に効率的である。また、溶解した洗濯液を泡状にして衣類の上に散布することは、体積の増大とともに高濃度の洗剤成分（主に界面活性剤）を衣類の隅々まで行き渡らせるのに有効な手段である。
【０００３】
従来より、水槽に溜めた洗濯液をポンプで循環させ、循環流路中で空気を導入して泡を生成する洗濯機が開示されている（特許文献１）。
【先行技術文献】
【特許文献】
【０００４】
【特許文献１】特開２０１０−１７２５４７号公報
【発明の概要】
【発明が解決しようとする課題】
【０００５】
特許文献１の構成は、循環ポンプを用いて洗濯液を循環させ、循環流路中に設けた泡発生タンクにエアポンプから空気を放出し、泡を生成するものである。循環ポンプを停止させると、泡発生部内の洗濯水は、泡発生部の底部に設けた水抜き孔から水抜き流路を介して排水される。特許文献１の構成では、排水専用の水抜き流路を必要としているため、組立の工数や部品数が増し、高価になる問題がある。また、特許文献１においては、水抜き孔を小径に設定しているが、水抜き孔を小径に設定すると、洗濯、濯ぎ工程で発生する衣類の繊維が詰まりやすい問題がある。
【０００６】
本発明は、簡単な構成で、泡生成室内の排水を適切に行うことができる洗濯機を提供することを目的とする。
【課題を解決するための手段】
【０００７】
前記従来の課題を解決するために、本発明の洗濯機は、衣類等が収容される収容槽と、泡を生成し、生成した泡を前記収容槽に供給する泡生成部と、前記収容槽内の洗濯液を前
記泡生成部に供給する循環ポンプと、を備え、前記泡生成部は、前記循環ポンプから供給される洗濯液を貯留する泡生成室を有すると共に、前記泡生成室内に貯留した洗濯液に向けて洗濯液を吐出する吐出口と、前記泡生成部で生成された泡を前記収容槽に供給する流出口とを形成し、前記流出口は、前記泡生成室底面から貯留した洗濯液より上方位置に亘って形成し、前記泡生成室底面は、前記流出口に向かって漸次低くなるように傾斜させるものである。
【０００８】
上記構成によれば、循環ポンプにより洗濯液が泡生成部に供給され、泡生成部に溜まった洗濯液の液面に衝突する。循環ポンプにより供給される洗濯液は、空気を巻き込んで、洗濯液に衝突することで液層に気泡が生成される。気泡により体積を増した洗濯液は、泡生成部の流出口から収容槽の衣類の上に供給される。洗濯液が衣類に接触し、浸透すると、気泡は泡膜となって衣類を覆う。泡膜は、高濃度の界面活性剤を含むので、衣類の汚れを効率的に除去することができる。収容槽に散布された洗濯液は、水槽に流れ落ち、循環ポンプによって再び泡生成部に供給される。循環ポンプを停止させると、泡生成部内の洗濯液は、流出口を介して排出される。流出口は、泡を供給する機能だけでなく、循環ポンプ停止後の排水流路の機能を果たすため、新たな排水流路を必要とせず、簡単な構成で、
廉価に製造可能である。また、流出口から排水させるため、排水流路断面積を広く取ることができ、洗濯、濯ぎ工程で発生する衣類の繊維が詰まりにくい。
【０００９】
上記構成において、泡生成室底面は流出口に向かって低くなるように傾斜させてもよい。
【００１０】
上記構成によれば、循環ポンプを停止させると、泡生成室内の洗濯液は、流出口から効率よく排出される。泡生成室内に洗濯液を溜めるために泡生成室底面の傾斜を緩やかに形成するため、泡生成室内に洗濯液が溜まり易く、貯留した洗濯液面に吐出口から洗濯液が泡立つ程度に洗濯液を衝突させることで、周りの空気を巻き込んで効率よく泡を生成することができる。循環ポンプを停止させると、泡生成室に溜まった洗濯液が流出口から排水される。流出口は、泡を吐出する機能だけでなく、循環ポンプ停止後の排水流路の機能を果たすため、新たな排水流路を必要とせず、簡単な構成で廉価に製造可能である。また、流出口から排水させるため、排水流路断面積を広く取ることができ、洗濯、濯ぎ工程で発生する衣類の繊維が詰まりにくい。
【００１１】
上記構成において、泡生成室から槽吐出部へ至る流路に屈曲部を設けてもよい。
【００１２】
上記構成によれば、屈曲部が洗濯液の流れの抵抗となるため、泡生成室内に洗濯液が溜まり易く、貯留した洗濯液面に吐出口から洗濯液が泡立つ程度に洗濯液を衝突させることで、周りの空気を巻き込んで効率よく泡を生成することができる。
【発明の効果】
【００１３】
本発明によれば、簡単な構成で、泡生成部内の排水を適切に行うことができる。
【図面の簡単な説明】
【００１４】
【図１】本発明の実施の形態１における洗濯機の概略的なブロック図
【図２】同洗濯機の概略的な斜視図
【図３】同洗濯機の概略的な断面図
【図４】同洗濯機の概略的な正面図
【図５】同洗濯機の概略的な側面図
【図６】同洗濯機の外環壁内の内部循環経路を示した断面図
【図７】本発明の洗濯機の循環経路の実施形態を示した断面図
【図８】同洗濯機の泡生成部の概略的な透過図
【図９】本発明の実施の形態２における泡生成部の概略的な透過図
【図１０】同洗濯機の泡生成部の上方から見た概略的な透過図
【発明を実施するための形態】
【００１５】
以下、図面を参照しつつ、例示的な洗濯機が説明される。尚、以下の説明で用いられる「上」、「下」、「左」や「右」などの方向を表す用語は、単に、説明の明瞭化を目的とする。したがって、これらの用語は、洗濯機の原理を何ら限定するものではない。以下に開示される洗濯機は、衣類を洗濯する洗濯機能だけでなく、衣類を乾燥する乾燥機能を有する。代替的に、衣類処理装置は、乾燥機能を有さない洗濯機であってもよい。
【００１６】
（実施の形態１）
（洗濯機）
図１は、実施の形態１の洗濯機１００の概略的なブロック図である。図１を参照して、洗濯機１００を説明する。尚、図１に示される実線矢印は、水の流れを表す。図１に示される点線矢印は、空気の流れを表す。図１に示される鎖線矢印は、制御信号の伝達経路を表す。
【００１７】
洗濯機１００は、主筐体２００と、制御部３００と、給水機構４００と、洗濯機構５００と、循環機構６００と、乾燥機構７００と、を備える。主筐体２００は、制御部３００と、給水機構４００と、洗濯機構５００と、循環機構６００と、乾燥機構７００と、を収容する。制御部３００は、給水機構４００と、洗濯機構５００と、循環機構６００と、乾燥機構７００と、を制御する。
【００１８】
洗濯機１００は、衣類を洗う洗い工程と、衣類を濯ぐ濯ぎ工程と、衣類を脱水する脱水工程と、衣類を乾燥する乾燥工程と、を順次実行してもよい。
【００１９】
洗濯機構５００は、衣類が収容される収容槽５１０と、収容槽５１０を駆動するモータ５２０と、を備える。モータ５２０は、制御部３００の制御下で、収容槽５１０を駆動する。洗い工程において、収容槽５１０は、洗剤を含む液体中で、衣類を攪拌する。この結果、衣類は、適切に洗浄される。濯ぎ工程において、収容槽５１０は、洗い工程よりも低い洗剤濃度を有する水中で衣類を攪拌する。また、濯ぎ工程において、収容槽５１０への給水及び収容槽５１０からの排水が繰り返される。この結果、洗剤は、衣類から適切に取り除かれる。脱水工程において、収容槽５１０は、遠心力を利用して、衣類から脱水する。この結果、衣類の乾燥が促進される。乾燥工程において、収容槽５１０に乾燥空気が供給される。乾燥空気の湿度は低く、且つ、温度は高いので、衣類は収容槽５１０内で適切に乾燥される。乾燥空気が供給されている間、収容槽５１０は、衣類を攪拌する。この結果、衣類は、適切に乾燥されることとなる。
【００２０】
給水機構４００は、上述の洗い工程及び濯ぎ工程において、収容槽５１０に水を供給する。給水機構４００は、蛇口に接続される給水口４１０と、切替弁４２０と、洗剤が収容される洗剤収容部４３０と、を備える。給水口４１０に供給された水は、切替弁４２０に至る。切替弁４２０は、収容槽５１０に水が直接的に向かう第１給水経路４２１と、洗剤収容部４３０を通じて収容槽５１０に水が供給される第２給水経路４２２と、の間で、給水経路を切り替える。第１給水経路４２１は、例えば、濯ぎ工程において用いられてもよい。この結果、水道水が収容槽５１０に直接的に供給される。第２給水経路４２２は、例えば、洗い工程に用いられてもよい。切替弁４２０が第２給水経路４２２を開くと、水は、洗剤収容部４３０に流入する。洗剤収容部４３０内において、水及び洗剤が混合される。この結果、洗剤を含有する水が、収容槽５１０に流入する。本実施形態において、第２給水経路４２２を規定する管路は、給水管として例示される。給水機構４００は、給水部として例示される。
【００２１】
循環機構６００は、循環ポンプ６１０と、泡生成部６２０と、を備える。循環機構６００は、上述の洗い工程及び濯ぎ工程において、循環ポンプ６１０と収容槽５１０との間で水を循環させてもよい。本実施形態において、循環機構６００は、循環ポンプ６１０と収容槽５１０との間での水の循環のために、第１循環経路６１１と第２循環経路６１２とを備える。第１循環経路６１１が用いられるとき、水は、泡生成部６２０を通じて、収容槽５１０に流入する。第２循環経路６１２が用いられるとき、水は、循環ポンプ６１０から収容槽５１０へ直接的に送られる。水の循環経路の切替のために、切替弁や、水の流れ方向を選択的に規定することができる他の要素が用いられてもよい。単一のポンプ６１０によって、水は、泡生成部６２０及び収容槽５１０に送られるので、主筐体２００内のスペースは有効に利用され、且つ、洗濯機１００は、廉価に製造され得る。加えて、単一のポンプ６１０の使用は、主筐体２００内のレイアウト設計の自由度の増大に帰結する。
【００２２】
泡生成部６２０は、泡を生成する。気泡により体積を増した洗濯液は、収容槽５１０に送られ、衣類の上に行き渡る。洗濯液が衣類に接触し浸透すると、気泡は泡膜となり衣類を覆う。泡膜は高濃度の界面活性剤を含むので、衣類の汚れを効率的に除去することがで
きる。
【００２３】
乾燥機構７００は、収容槽５１０から送り出された空気を受けるエアフィルタ７１０と、エアフィルタ７１０を通過した空気と熱を交換する熱交換部７２０と、熱交換部７２０を通過した空気を送り出す送風ファン７３０と、を備える。エアフィルタ７１０は、収容槽５１０から送り出された空気からリントを除去する。したがって、清浄化された空気が、熱交換部７２０に流入する。乾燥工程において、制御部３００は、熱交換部７２０を起動させてもよい。熱交換部７２０は、空気を除湿並びに加熱する。この結果、衣類を乾燥させるのに適した乾燥空気が生成される。制御部３００は、洗い工程から脱水工程の間、熱交換部７２０を停止させてもよい。この結果、熱交換部７２０は、電力を不必要に消費しない。代替的に、制御部３００は、洗い工程において、熱交換部７２０を起動させてもよい。この結果、熱交換部７２０から空気に受け渡された熱を利用して、洗剤が活性化されてもよい。本実施形態において、乾燥機構７００は、送風部として例示される。
【００２４】
図２は、洗濯機１００の概略的な斜視図である。図１及び図２を参照して、洗濯機１００が更に説明される。
【００２５】
主筐体２００は、前壁２１０と、前壁２１０とは反対側の後壁２２０と、前壁２１０と後壁２２０との間で立設された左壁２３０と、左壁２３０とは反対側の右壁２４０と、前壁２１０、後壁２２０、左壁２３０及び右壁２４０の上縁に囲まれた天壁２５０と、天壁２５０とは反対側の底壁２６０と、を含む。図１を参照して説明された給水口４１０は、天壁２５０上で露出している。使用者は、例えば、ホースを用いて、給水口４１０と蛇口（図示せず）とを接続することができる。
【００２６】
洗濯機１００は、前壁２１０に取り付けられた扉体１０１を更に備える。扉体１０１は、前壁２１０に沿う閉位置と、前壁２１０から突出した開位置と、の間で回動する。尚、図２に示される扉体１０１は、開位置に存する。扉体１０１が開位置に存するとき、収容槽５１０が規定する投入口５１１が露出する。使用者は、扉体１０１を開位置へ回動し、投入口５１１を通じて、衣類を収容槽５１０に投入することができる。
【００２７】
図３は、洗濯機１００の概略的な断面図である。図１及び図３を参照して、洗濯機１００が更に説明される。
【００２８】
収容槽５１０は、衣類が収容される回転ドラム５３０と、回転ドラム５３０が収容される水槽５４０と、を含む。回転ドラム５３０は、投入口５１１を規定する内環壁５３１と、内環壁５３１とは反対側の内底壁５３２と、内環壁５３１と内底壁５３２との間の円筒状の内周壁５３３と、を含む。水槽５４０は、前壁２１０と内環壁５３１との間に配置される外環壁５４１と、後壁２２０と内底壁５３２との間に配置される外底壁５４２と、外環壁５４１と外底壁５４２との間で内周壁５３３を取り囲む外周壁５４３と、を含む。本実施形態において、回転ドラム５３０は、内槽として例示される。水槽５４０は、外槽として例示される。
【００２９】
モータ５２０は、駆動力を発生させる本体部５２１と、駆動力を回転ドラム５３０へ伝達する駆動シャフト５２２と、を含む。駆動シャフト５２２は、外底壁５４２を貫通し、内底壁５３２に接続される。
【００３０】
循環機構６００は、循環ポンプ６１０と泡生成部６２０（図１を参照）とに加えて、排水弁６９０と、水槽５４０から循環ポンプ６１０へ流れる水の経路を規定する上流循環管６４０と、循環ポンプ６１０から水槽５４０へ戻る水の経路を規定する下流循環管６５０と、主筐体２００外への排水経路を規定する排水管６６０と、を備える。排水弁６９０は
、排水管６６０に取り付けられる。制御部３００（図１を参照）は、排水弁６９０を制御する。収容槽５１０と循環ポンプ６１０との間で水が循環されている間、制御部３００は、排水弁６９０を閉じる。制御部３００は、不要となった水を排出するために排水弁６９０を開く。
【００３１】
下流循環管６５０は、泡生成部６２０へ接続される第１枝管６５１と、外環壁５４１に接続される第２枝管６５２と、を含む。第１枝管６５１は、図１を参照して説明された第１循環経路６１１を規定する。第２枝管６５２は、図１を参照して説明された第２循環経路６１２を規定する。制御部３００は、循環ポンプ６１０の回転方向および回転数を制御し、第１枝管６５１を通じた水の循環と、第２枝管６５２を通じた水の循環と、を選択的に実行してもよい。本実施形態において、下流循環管６５０は、循環ポンプ６１０を介して分岐管として例示される。
【００３２】
乾燥機構７００は、エアフィルタ７１０と熱交換部７２０と送風ファン７３０とに加えて、収容槽５１０から送風ファン７３０への空気の流動経路を規定する吸気管７５０と、送風ファン７３０から送り出される空気の流れを規定する送気管７６０と、を備える。エアフィルタ７１０及び熱交換部７２０は、吸気管７５０内に配置される。送風ファン７３０は、吸気管７５０と送気管７６０との接続部に配置される。送風ファン７３０が回転すると、吸気管７５０内において負圧環境が作り出される一方で、送気管７６０内において正圧環境が作り出される。
【００３３】
図４は、洗濯機１００の概略的な正面図、図５は、洗濯機１００の概略的な側面図、図６は、洗濯機１００の概略的な外環壁５４１内の内部循環経路を示した断面図である。図１、図３、図４、図５および図６を参照して、洗濯機１００が更に説明される。
【００３４】
水槽５４０の外周壁５４３は、外環壁５４１が取り付けられる前周壁５４５と、外底壁５４２と前周壁５４５との間に配置される後周壁５４６と、を含む。泡生成部６２０は、前周壁５４５に取り付けられる。図３及び図５には、モータ５２０によって規定される回転ドラム５３０の回転軸ＲＸが示されている。本実施形態において、泡生成部６２０は、回転軸ＲＸよりも上方に配置される。
【００３５】
本実施形態において、下流循環管６５０の第１枝管６５１は、水槽の外環壁５４１に接続され、外環壁５４１内の内部循環経路を介して泡生成部６２０に至る構造として例示される。これによって、主筐体２００内のスペースは有効に利用され、かつ洗濯機１００は廉価に製造され得る。加えて、主筐体２００内のレイアウト設計の自由度の増大に帰結する。
【００３６】
（泡生成部）
図８は、泡生成部６２０の概略的な断面図である。図３、図４、図５、図６、図７および図８を参照して、泡生成部６２０が説明される。
【００３７】
図５に示される如く、循環ポンプ６１０は、収容槽５１０よりも下方に配置される。泡生成部６２０は、回転ドラム５３０の回転軸ＲＸよりも上方（即ち、循環ポンプ６１０よりも上方）に配置される。循環ポンプ６１０が回転すると、水は、循環ポンプ６１０によって、第１枝管６５１を通じて、泡生成部６２０に向けて揚水される。図５に示される如く、第２枝管６５２は、循環ポンプ６１０の上方で水槽５４０に接続される。尚、第２枝管６５２と水槽５４０との接続位置は、回転軸ＲＸよりも下方である。したがって、循環ポンプ６１０は、比較的低い回転数で回転し、水槽５４０へ水を送り込むことができる。
【００３８】
循環ポンプ６１０が高い回転数で回転すると、洗濯液は、第１枝管６５１または第２枝
管６５２とに流入する。第１枝管６５１は、筐体６２１へ案内する。したがって、第１枝管６５１へ流入した洗濯液は、泡生成部６２０に到達する。なお、循環機構６００は、泡生成部に洗濯液を供給できる構成であればよく、図３では吐出口を２つ持つ循環ポンプ６１０を例に挙げたが、循環ポンプ６１０が第１枝管６５１のみを有する構成であってもよい。また、図７に例示されるように洗濯液が単一の第１枝管６５１から外環壁内の内部循環経路を介して、泡生成部６２０と収容槽５１０へ送り出す構成としてもよい。
【００３９】
泡生成部６２０内で発生した泡は、その後、泡生成部６２０の流出口６８４に接続されている槽吐出部６８５を介して収容槽５１０へ送り出される。槽吐出部６８５は、泡生成室６２３内の流路に対して屈曲して接続される。泡生成室６２３から槽吐出部６８５に至るまでの流路内に屈曲部分を設けることで、屈曲部が洗濯液の流れの抵抗となり、泡生成室６２３に洗濯液が溜まりやすくなる。本実施の形態では、槽吐出部６８５は、泡生成部６２０とは別体に構成しているが、泡生成部６２０と一体に構成してもよい。
【００４０】
本実施の形態では、泡生成部６２０に対して槽吐出部６８５に至る流路を屈曲させて屈曲部を形成したが、泡生成部６２０内の流路を屈曲させてもよく、槽吐出部６８５に至る流路を屈曲させてもよい。泡生成部６２０から槽吐出部６８５に至る流路のいずれかの部分を屈曲させて屈曲部を形成することにより、洗濯液の流れの抵抗とし、泡生成室６２３内に洗濯液を溜まり易くすることができる。
【００４１】
また、泡生成部６２０から槽吐出部６８５に至る流路のいずれかの部分に断面積が狭くなる絞り部を形成してもよい。この構成においても、絞り部が洗濯液の流れの抵抗となり、泡生成室６２３内に洗濯液を溜まり易くすることができる。
【００４２】
第２枝管６５２は、水を、水槽５４０へ直接的に案内する。したがって、第２枝管６５２へ流入した水は、水槽５４０内へ直接的に流入する。洗濯液の流入経路は、循環ポンプ６１０の回転方向を制御し、選択される。
【００４３】
図８に示される如く、泡生成部６２０は、筐体６２１を備え、筐体６２１内部は、隔壁６８０により給水路６２２と泡生成室６２３とに区画される。給水路６２２の一端側には流入口６８１を形成し、給水路６２２の他端側には、泡生成室６２３の上方位置に吐出口６８２を形成している。給水路６２２は、流入口６８１から吐出口６８２に向かって漸次断面積を小さく形成して、吐出口６８２から泡生成室６２３に向けて噴出する洗濯水の流速が増大するよう構成している。さらに、吐出口６８２は、噴出側先端に向かって漸次小径となるように形成し、吐出口６８２から泡生成室６２３に向けて噴出する洗濯水の流速を増大させるよう構成している。
【００４４】
吐出口６８２と泡生成室６２３との間には、空気誘引室６２４が形成され、空気誘引室６２４には、エア吸入口６８３が形成されている。吐出口６８２から泡生成室６２３に向けて吐出される洗濯水の流速によりエア吸入口６８３から外部空気が誘引され、外部空気が洗濯水とともに泡生成室６２３に吐出される。
【００４５】
泡生成室６２３には、吐出口６８２から離間した位置に流出口６８４を形成している。泡生成室６２３には、循環ポンプ６１０の駆動により洗濯液が吐出口６８２から流入し、流出口６８４から流出する。吐出口６８２からの流入量と流出口６８４からの流出量が均衡した状態となって、泡生成室６２３内に所定水位の洗濯液が溜まる。
【００４６】
流出口６８４は、泡生成室６２３底面から泡生成室６２３内に溜まる洗濯水の所定水位より高い位置まで形成し、洗濯液上に浮遊する泡が効率よく流出口６８４を通過できるように形成している。
【００４７】
泡生成室６２３の底面は、流出口６８４に向かって漸次傾斜して形成し、循環ポンプ６１０が停止して泡生成室６２３への洗濯液の供給が停止すると、泡生成室６２３内の洗濯液は、泡生成室６２３内に残留することなく、流出口６８４から槽吐出部６８５を介して収容槽５１０に排出される。また、泡生成室６２３の底面は、吐出口６８２から流入する洗濯液の液量と流出口６８４から流出する洗濯液の液量が均衡した状態となって泡生成室６２３内に洗濯液が溜まるように、流出口６８４に向かう傾斜角は比較的緩やかな傾斜に形成している。
【００４８】
図３、図４および図５を参照して説明された第１枝管６５１は、水槽の外環壁５４１内の内部循環経路を介して、流入口６８１に接続される。循環ポンプ６１０が泡生成部６２０へ洗濯液を揚水すると、流入口６８１から流入した洗濯液は、吐出口６８２から、泡生成室６２３に向かって吐出される。泡生成室６２３内には、洗濯液が溜まり、吐出口６８２からの流入量と流出口６８４からの流出量が均衡した状態となる。この状態を図８に示しており、泡生成部６２０内には、液層ＷＬと空気層ＡＬの境界ＢＤが形成される。吐出口６８２から吐出された洗濯液は、境界ＢＤに衝突し、空気層ＡＬの空気を巻き込むことで液層ＷＬ内に気泡が混入される。吐出口６８２から吐出される洗濯液は、流速を増大させて境界ＢＤに衝突するよう構成しているので、液層ＷＬ内に効率よく気泡を発生させる。また、空気誘引室６２４においては、吐出口６８２からの洗濯液により、エア吸入口６８３から外部空気が誘引され、外部空気が洗濯液に巻き込まれて液層ＷＬ内に混入することにより、効率よく気泡を発生させる。
【００４９】
気泡により体積を増した洗濯液は、流出口６８４から槽吐出部６８５を介して収容槽５１０の衣類に散布される。吐出口６８２の口径は、揚水量に応じて、液層ＷＬに気泡が混入される流速になるよう調整してもよい。流速は、循環ポンプの回転数により調整してもよい。エア吸入口６８３は、空気層ＡＬの形成に必要な空気を取り入れられる大きさに形成される。また、水漏れを考慮した形態として、本実施形態では、水槽の前周壁５４５への接続を例示する。
【００５０】
本実施の形態においては、筐体６２１内部を隔壁６８０により区画することにより、給水路６２２と泡生成室６２３とを構成することができ、泡生成部６２０をコンパクトに形成でき、構造を簡素化することができる。
【００５１】
なお、給水路６２２は、泡生成室６２３に洗濯液を供給できる構成であればよく、本実施の形態以外にも、例えば、ホース等により構成することができる。
【００５２】
(実施の形態２)
図９は、本発明の実施の形態２における泡生成部６２０の概略的な透過図である。図１０は、泡生成部６２０を上方から見た概念的な透過図である。
【００５３】
本実施の形態２においては、給水路６２２を流出口６８４側に延設し、吐出口６８２を流出口６８４とは逆方向に向かって傾斜させて形成している。また、泡生成部６２０は、吐出口６８２からの洗濯液が泡生成部６２０内の洗濯液に衝突する部分を幅広に形成し、生成した泡が吐出口６８２からの洗濯液を回避して流出口６８４に向かって流れ易く構成している。この構成により、吐出口６８２から吐出する洗濯液の流速により泡生成室６２３内に洗濯液がとどまりやすくすることができる。泡生成室６２３内の洗濯液の液面に斜め方向から洗濯液を噴射することにより、泡の生成効率が向上する。
【産業上の利用可能性】
【００５４】
本実施形態の原理は、泡を利用して衣類を洗浄する機能を有する装置に好適に利用され
る。
【符号の説明】
【００５５】
１００    洗濯機
３００    制御部
４００    給水機構
４２２    第２給水経路
４３０    洗剤収容部
５００    洗濯機構
５１０    収容槽
５１１    投入口
５３０    回転ドラム
５４０    水槽
６００    循環機構
６１０    循環ポンプ
６２０    泡生成部
６２１    筐体
６２３    泡生成室
６５０    下流循環管
６５１    第１枝管
６５２    第２枝管
６８４    流出口
６８５    槽吐出部
７００    乾燥機構
７３０    送風ファン
ＡＬ    空気層
ＢＤ    境界
ＷＬ    液層
【図１】
0006311122.tif 000002
【図２】
0006311122.tif 000003
【図３】
0006311122.tif 000004
【図４】
0006311122.tif 000005
【図５】
0006311122.tif 000006
【図６】
0006311122.tif 000007
【図７】
0006311122.tif 000008
【図８】
0006311122.tif 000009
【図９】
0006311122.tif 000010
【図１０】
0006311122.tif 000011